【手続補正書】
【提出日】平成30年11月29日(2018.11.29)
【手続補正１】
【補正対象書類名】明細書
【補正対象項目名】００１０
【補正方法】変更
【補正の内容】
【００１０】
上記課題を解決するために、本発明の一態様に係る検査装置は、
光源からの測定光を被検査物に対して走査する測定光学系と、
前記被検査物に共役な位置に設けられ、前記測定光の前記被検査物からの戻り光を複数の光に分割する分割手段と、
前記分割して得た複数の光を受光する受光手段と、
前記受光手段からの複数の強度信号を用いて得た前記被検査物の画像データと、前記戻り光の分割に関する情報とを関連付けて記録する記録手段と、
前記関連付けられた分割に関する情報を用いて前記画像データを解析する解析手段と、を備えることを特徴とする。
【手続補正２】
【補正対象書類名】特許請求の範囲
【補正対象項目名】全文
【補正方法】変更
【補正の内容】
【特許請求の範囲】
【請求項１】
光源からの測定光を被検査物に対して走査する測定光学系と、
前記被検査物に共役な位置に設けられ、前記測定光の前記被検査物からの戻り光を複数の光に分割する分割手段と、
前記分割して得た複数の光を受光する受光手段と、
前記受光手段からの複数の強度信号を用いて得た前記被検査物の画像データと、前記戻り光の分割に関する情報とを関連付けて記録する記録手段と、
前記関連付けられた分割に関する情報を用いて前記画像データを解析する解析手段と、
を備えることを特徴とする検査装置。
【請求項２】
前記記録手段は前記画像データを解析する際に用いるモデル画像を記録し、
前記解析手段は前記戻り光の分割に関する情報を用いて決定された前記モデル画像を用いて前記画像データを解析することを特徴とする請求項１に記載の検査装置。
【請求項３】
前記記録手段は前記画像データを解析するための少なくとも方向性のある濃度勾配成分を有するモデル画像およびフィルタの少なくともいずれかを記録し、
前記解析手段は、前記画像データと関連付けて記録された前記分割に関する情報と一致する方向性のある濃度勾配成分を有する前記モデル画像および前記フィルタの少なくともいずれかを用いて前記画像データを解析することを特徴とする請求項１に記載の検査装置。
【請求項４】
前記分割手段は、前記分割に関する情報である前記戻り光の分割方向が可変となるように構成されていることを特徴とする請求項１乃至３のいずれか一項に記載の検査装置。
【請求項５】
前記戻り光の中心部の光を取り出す他の分割手段と、
前記戻り光の中心部の光を受光する他の受光手段と、
前記被検査物の画像データを生成する生成手段と、を更に備え、
前記分割手段は、前記中心部の外側の部分の光を前記複数の光に分割し、
前記生成手段は、前記他の受光手段より出力される強度信号又は前記複数の強度信号を用いて、前記被検査物の画像データを生成することを特徴とする請求項１乃至４のいずれか一項に記載の検査装置。
【請求項６】
前記戻り光の中心部の光を取り出す他の分割手段と、
前記戻り光の中心部の光を受光する他の受光手段と、を更に備え、
前記被検査物の画像データは、前記複数の強度信号を用いる第一の撮像モードと、前記他の受光手段より出力される強度信号を用いる第二の撮像モードとによって生成されることを特徴とする請求項１乃至４のいずれか一項に記載の検査装置。
【請求項７】
前記解析する画像データが、前記第一の撮像モードおよび前記第二の撮像モードのいずれで取得された画像データであるかを判別する判別手段を更に備え、
前記解析手段は、前記取得された画像データが前記第二の撮像モードで撮像されたと前記判別手段により判別された場合、前記画像データにおいて方向性のない特徴点を抽出する解析を行うことを特徴とする請求項６に記載の検査装置。
【請求項８】
前記被検査物は被検眼であって、
前記被検眼の眼底の撮像部位と黄斑部との距離に関する情報を取得する取得手段を更に備え、
前記記録手段は、前記距離に関する情報と前記画像データとを関連付けて記録し、
前記解析手段は前記関連付けられた距離に関する情報を用いて前記画像データを解析することを特徴とする請求項１乃至７のいずれか一項に記載の検査装置。
【請求項９】
前記解析手段は、前記分割に関する情報に対応する画像特徴の方向性に基づいて、前記画像データを解析することを特徴とする請求項１乃至８のいずれか一項に記載の検査装置。
【請求項１０】
被検査物からの戻り光を分割して得た複数の光を受光して得られる複数の強度信号を用いることで生成される前記被検査物の非共焦点画像を取得する取得手段と、
前記戻り光の分割に関する情報と前記非共焦点画像とを関連付けて記録する記録手段と、
前記分割に関する情報を用いて前記非共焦点画像を解析する解析手段と、
を備えることを特徴とする画像処理装置。
【請求項１１】
前記解析手段は、前記分割に関する情報に一致する勾配成分を有するモデル画像およびフィルタの少なくともいずれかを用いて前記非共焦点画像を解析することを特徴とする請求項１０に記載の画像処理装置。
【請求項１２】
前記被検査物は、被検眼であることを特徴とする請求項１０又は１１に記載の画像処理装置。
【請求項１３】
被検査物に共役な位置において、前記被検査物に対して走査された測定光の前記被検査物からの戻り光を分割して得た複数の光を受光する受光手段からの複数の強度信号を用いて得た前記被検査物の画像データと、前記戻り光の分割に関する情報とを関連付けて記録する工程と、
前記関連付けられた分割に関する情報を用いて前記画像データを解析する工程と、
を含むことを特徴とする検査装置の作動方法。
【請求項１４】
前記記録する工程では、前記画像データを解析する際に用いるモデル画像が記録され、
前記解析する工程では、前記戻り光の分割に関する情報を用いて決定された前記モデル画像を用いて前記画像データが解析されることを特徴とする請求項１３に記載の検査装置の作動方法。
【請求項１５】
前記記録する工程では、前記画像データを解析するための少なくとも方向性のある濃度勾配成分を有するモデル画像およびフィルタの少なくともいずれかが記録され、
前記解析する工程では、前記画像データと関連付けて記録された前記分割に関する情報と一致する方向性のある濃度勾配成分を有する前記モデル画像および前記フィルタの少なくともいずれかを用いて前記画像データが解析されることを特徴とする請求項１３に記載の検査装置の作動方法。
【請求項１６】
前記被検査物は、被検眼であって、
前記記録する工程では、前記被検眼の眼底の撮像部位と黄斑部との距離に関する情報および前記画像データが関連付けて記録され、
前記解析する工程では、前記関連付けられた距離に関する情報を用いて前記画像データが解析されることを特徴とする請求項１３乃至１５のいずれか一項に記載の検査装置の作動方法。
【請求項１７】
前記解析する工程では、前記分割に関する情報に対応する画像特徴の方向性に基づいて、前記画像データが解析されることを特徴とする請求項１３乃至１６のいずれか一項に記載の検査装置の作動方法。
【請求項１８】
被検査物からの戻り光を分割して得た複数の光を受光して得られる複数の強度信号を用いることで生成される前記被検査物の非共焦点画像を取得する工程と、
前記戻り光の分割に関する情報と前記非共焦点画像とを関連付けて記録する工程と、
前記分割に関する情報を用いて前記非共焦点画像の画像データを解析する工程と、
を含むことを特徴とする画像処理装置の作動方法。
【請求項１９】
前記解析する工程では、前記分割に関する情報に一致する勾配成分を有するモデル画像およびフィルタの少なくともいずれかを用いて前記非共焦点画像が解析されることを特徴とする請求項１８に記載の画像処理装置の作動方法。
【請求項２０】
請求項１３乃至１９のいずれか一項に記載の作動方法の各工程をコンピュータに実行させることを特徴とするプログラム。